(57)【要約】    【課題】ユーザーにとってスロットの位置並びにスロットに挿入されるべき小型メモリーカードの種類が一目瞭然である電子装置の提供。    【解決手段】スロット部６１の表面６９が多機能装置１０の正面側に膨出している。この表面６９の上側にスロット部６１に挿入されるべき小型メモリーカードの種類を表す標章が付されている。上記表面６９は、湾曲面に形成されている。スロット部６１は、操作パネル４５と原稿載置部１３の開口４２との間に配置されている。スロット部６１は、小型メモリーカードを水平に正面から内奥側へ収容する。【選択図】図１
2007072920.tif 000002
【特許請求の範囲】
【請求項１】
記憶媒体が装着されるスロット部が正面に設けられ、当該記憶媒体に記憶された画像データを読み出し可能な電子装置であって、
上記スロット部は、
上記正面に取り付けられ、表面が上記正面側に膨出した膨出面に形成されたパネルと、
当該パネルに設けられ、上記記憶媒体が挿入される開口を上記表面に有する記憶媒体収容部とを備え、
上記膨出面のうち上記開口の上方に対応する部分に当該開口に挿入されるべき記憶媒体の種類を示す標章が付されていることを特徴とする電子装置。
【請求項２】
上記膨出面は、上記正面側に膨らんだ曲面からなる請求項１に記載の電子装置。
【請求項３】
上記開口の周縁に連続して漏斗状に拡がる案内面が形成されている請求項１又は請求項２に記載の電子装置。
【請求項４】
上記案内面は、上記開口の内奥側へ凹んだ湾曲面からなる請求項３に記載の電子装置。
【請求項５】
上記記憶媒体が少なくとも挿入時に載置され得る載置面が形成されるように上記開口の上縁部よりも下縁部の方が上記正面側に突出されている請求項１〜請求項４のいずれかに記載の電子装置。
【請求項６】
上記パネルは、異なる種類の記憶媒体が装着される複数の記憶媒体収容部を備えており、
各記憶媒体収容部のそれぞれの開口の上方に対応する部分に上記標章が付されている請求項１〜請求項５のいずれかに記載の電子装置。
【請求項７】
原稿が載置されるコンタクトガラス板が配置された天面及び当該天面から正面側に連続し且つ操作パネルが配置された操作面が形成された画像読取部と、
画像を被記録媒体上に記録可能な記録部と、
上記正面に設けられ、上記記録部にて画像の記録された被記録媒体を排出する排出口と、を更に備え、
上記スロット部は上記操作パネルと上記排出口との間に設けられ、上記記憶媒体収容部が上記正面から上記画像読取部の内奥方向に水平に配置されている請求項１〜請求項６のいずれかに記載の電子装置。
【発明の詳細な説明】
【技術分野】
【０００１】
本発明は、正面に記憶媒体が装着されるスロット部を有する電子装置の構造に関するものである。
【背景技術】
【０００２】
従来の電子装置には、小型メモリカード等の記憶媒体が装着されるスロット部を備えているものがある。小型メモリーカードは画像データ等を記憶することができるため、小型メモリーカードがスロット部に接続されることによって、電子装置は、当該小型メモリーカードから画像データを読み出すことができる。この電子装置が記録紙等の被記録媒体に画像を記録可能な記録部を備えているものであれば、読み出した画像データに基づいて画像を記録することができる。このスロット部は、例えば電子装置の前面（正面）に開口を有しており、上記小型メモリーカードは、この開口から挿入されるようになっている。
【０００３】
このように、スロット部が上記開口を備えていることから、この開口の内部へのゴミ等の侵入が防止されなければならない。また、電子装置のユーザーにとって、小型メモリーカードを上記開口に挿入又は抜脱する作業が容易に行えるものであることが必要である。そのため、従来から、小型メモリーカード等の記憶媒体が装着されるスロット部の構造は、種々の改良が加えられている（例えば、特許文献１〜特許文献３参照）。
【０００４】
【特許文献１】特開平７−２８２２０４号公報
【特許文献２】特開２００２−１５０２２５号公報
【特許文献３】特開２００４−３１０４９６号公報
【発明の開示】
【発明が解決しようとする課題】
【０００５】
スロット部の構造は前述のように種々改良されているが、近年では、スロット部は、複数の開口を有し、各開口に対応する種類のメモリーカードが挿入され得るように構成されているものもある。その場合に、ユーザーは、当該メモリーカードをいずれの開口へ挿入すべきであるかを判断する必要がある。
【０００６】
本発明はかかる背景のもとになされたものであって、その目的は、ユーザーにとってスロット部の位置並びにスロット部に設けられた開口の位置及び挿入されるべき記憶媒体の種類が一目瞭然である電子装置を提供することである。
【課題を解決するための手段】
【０００７】
(1) 上記目的が達成されるため、本発明に係る電子装置は、記憶媒体が装着されるスロット部が正面に設けられ、当該記憶媒体に記憶された画像データに基づいて画像を記録し得る電子装置であって、上記スロット部は、上記正面に取り付けられ、表面が上記正面側に膨出した膨出面に形成されたパネルと、当該パネルに設けられ、上記記憶媒体が挿入される開口を上記表面に有する記憶媒体収容部とを備える。上記膨出面のうち上記開口の上方に対応する部分に当該開口に挿入されるべき記憶媒体の種類を示す標章が付されている。
【０００８】
この電子装置では、スロット部に記憶媒体（典型的には小型メモリーカード）が装着され得る。そして、この記憶媒体に記憶された画像データに基づいて画像が記録される。当該電子装置のユーザーは、記憶媒体を把持し、これをスロット部のパネルの開口に挿入して記憶媒体収容部に収容する。一般に電子装置はデスク上に載置され、ユーザーは、当該電子装置の正面に立ってあるいは座って操作する場合が多い。したがって、ユーザーは、通常、当該電子装置を見下ろしながら操作することになるので、上記開口の位置や当該開口に適合する記憶媒体の種類を確認することが容易でないこともある。しかし、本発明では、スロット部が上記パネルを備えているので、ユーザーにとって当該スロット部の位置が一目瞭然である。しかも、上記膨出面のうち上記開口の上方に対応する部分に上記標章が付されていることから、ユーザーにとって、当該記憶媒体を挿入すべき開口の位置及び当該開口に適合する記憶媒体の種類が一目瞭然である。
【０００９】
(2) 上記膨出面は、上記正面側に膨らんだ曲面により構成されるのが好ましい。
【００１０】
上記膨出面が上記曲面に形成されているので、ユーザーが手探りで記憶媒体を上記開口に挿入する場合において、当該記憶媒体を上記パネルの表面に沿って摺動させるだけで上記開口の位置を探ることができる。
【００１１】
(3) 上記開口の周縁に連続して漏斗状に拡がる案内面が形成されているのが好ましい。
【００１２】
この構成では、ユーザーが手探りで記憶媒体を上記開口に挿入しようとした場合において、当該記憶媒体を上記案内面に沿って摺動させるだけで、簡単且つ確実に当該記憶媒体を上記開口に挿入することができる。すなわち、ユーザーは、記憶媒体を上記開口の近傍に移動させるだけで、当該記憶媒体は、上記案内面に案内されながら上記開口に挿入される。
【００１３】
(4) 上記案内面は、上記開口の内奥側へ凹んだ湾曲面から構成されているのが好ましい。
【００１４】
これにより、ユーザーは、把持した記憶媒体を案内面に当接させるだけで、当該記憶媒体は、きわめて円滑に上記開口へ案内される。
【００１５】
(5) 上記記憶媒体が少なくとも挿入時に載置され得る載置面が形成されるように上記開口の上縁部よりも下縁部の方が上記正面側に突出されているのが好ましい。
【００１６】
この構成では、ユーザーが記憶媒体を上記開口に挿入する際に、当該記憶媒体を一旦上記載置面に載置したうえで上記開口に挿入することができる。これにより、ユーザーにとって記憶媒体を開口に挿入する作業がより簡単になるという利点がある。この利点は、前述のように、ユーザーが手探りで記憶媒体を上記開口に挿入する場合に特に顕著である。
【００１７】
(6) 上記パネルは、異なる種類の記憶媒体が装着される複数の記憶媒体収容部を備えており、各記憶媒体収容部のそれぞれの開口の上方に対応する部分に上記標章が付されているのが好ましい。
【００１８】
この構成では、特に複数のスロット部が設けられ、各スロット部の開口に挿入されるべき記憶媒体の種類が異なる場合であっても、ユーザーは、各メモリーカードをいずれの開口へ挿入すべきであるかを正確に且つ迅速に判断することができる。
【００１９】
(7) 原稿が載置されるコンタクトガラス板が配置された天面及び当該天面から正面側に連続し且つ操作パネルが配置された操作面が形成された画像読取部と、画像を被記録媒体上に記録可能な記録部と、上記正面に設けられ、上記記録部にて画像の記録された被記録媒体を排出する排出口と、を更に備え、上記スロット部は上記操作パネルと上記排出口との間に設けられ、上記記憶媒体収容部が上記正面から上記画像読取部の内奥方向に水平に配置されているのが好ましい。
【００２０】
記憶媒体は、シート状ないし薄肉板状に形成されていることが多い。この構成では、記憶媒体は、正面側から水平に画像読取部の内奥方向へ挿入され、しかも、上記スロット部が上記操作パネルと被記録媒体の排出口との間に設けられているから、当該電子装置の設計において厚み寸法が小さく抑えられる。すなわち、電子装置がコンパクトな薄型に設計され得る。
【発明の効果】
【００２１】
本発明によれば、ユーザーは、スロット部の位置並びにスロット部に設けられた開口の位置及び挿入されるべき記憶媒体の種類を容易に確認することができるから、上記開口への記憶媒体の挿抜操作がきわめて簡単であり、その結果、当該電子装置の使い勝手が向上する。
【発明を実施するための最良の形態】
【００２２】
以下、適宜図面が参照されつつ、好ましい実施形態に基づいて本発明が詳細に説明される。
【００２３】
(1) 本実施形態に係る電子装置の概略
【００２４】
図１は、本発明の一実施形態に係る電子装置たる多機能装置の外観斜視図である。
【００２５】
多機能装置１０は、下部にプリンタ部１１(記録部）を、上部にスキャナ部１２(画像読取部）を一体的に備えたＭＦＤ（Multi Function Device）であり、プリンタ機能、スキャナ機能、コピー機能及びファクシミリ機能を有する。本発明に係る電子装置は、この多機能装置１０として構成されている。なお、本発明に係る電子装置は、プリンタ部１１やスキャナ部１２を搭載しない装置、例えば複数の記憶媒体に対して画像データの読取／記録が可能なカードリーダ／ライタとしても用いられ得る。
【００２６】
多機能装置１０は、主に図示されていないコンピュータと接続されて、このコンピュータから送信された画像データや文書データに基づいて、被記録媒体たる記録用紙に画像や文書を記録するものである。また、多機能装置１０は、デジタルカメラ等の外部機器と接続されてデジタルカメラから出力される画像データを記録用紙に記録することができる。さらに、多機能装置１０は、後述されるスロット部６１を備えており、このスロット部６１にメモリカード等の各種記憶媒体が装填されることによって当該記憶媒体に記憶された画像データ等を記録用紙に記録することが可能である。以下に説明される多機能装置１０の構成は、本発明に係る電子装置の一例であり、本発明の要旨を変更しない範囲で適宜設計変更され得る。
【００２７】
図２ないし図４は、それぞれ、多機能装置１０の正面図、平面図及び右側面図である。さらに、図５は、上記スロット部６１の拡大斜視図であり、図６は、上記スロット部６１の拡大断面図（図５におけるVI−VI断面図）である。本実施形態に係る多機能装置１０の特徴とするところは、スロット部６１の表面６９が多機能装置１０の正面側に膨出されており、この表面６９の上側に当該スロット部６１に挿入されるべき小型メモリーカードの種類を表す標章が付されている点である。これにより、多機能装置１０のユーザーにとって、小型メモリーカードを挿入すべき位置が一目瞭然となる。
【００２８】
(2) スキャナ部(画像読取部）
【００２９】
図７は、スキャナ部１２の内部構成（図４において点線で示された部分）を模式的に示す図である。
【００３０】
図１、図４及び図７が示すように、スキャナ部１２は、ＦＢＳ（Flatbed Scanner）として機能する原稿載置部１３と、これに設けられた原稿カバー１５とを備えている。原稿カバー１５は、自動原稿搬送機構（ＡＤＦ：Auto Document Feeder、以下「ＡＤＦ」という。）１４を備えており、原稿載置部１３の背面４８側に蝶番を介して開閉自在に取り付けられている。このため、原稿カバー１５は、原稿載置部１３に対して矢印１６の方向に回動することによって開閉されるようになっている。本実施形態では、原稿載置部１３は、多機能装置１０の筐体により構成されており、原稿カバー１５は、多機能装置１０の上面の一部を構成している。
【００３１】
本実施形態では、スキャナ部１２及びプリンタ部１１(記録部)が一体的に形成されているが、両者が別々に構成され、例えばプリンタ部１１に対してスキャナ部１２が開閉可能に設けられていてもよい。その場合には、スキャナ部１２がプリンタ部１１に対して開放されるから、例えば記録用紙のジャム処理が容易になされるという利点がある。
【００３２】
原稿載置部１３は、スキャナ部１２のフレームを兼ねている。この原稿載置部１３の天面１９（図７参照）にコンタクトガラス板２０が設けられている。また、この原稿載置部１３の内部に画像読取ユニット１８が配設されている。図７において紙面に垂直な方向が多機能装置１０の幅方向であって、図４において紙面に垂直な方向と一致している。
【００３３】
原稿載置部１３に設けられた上記原稿カバー１５が開放されることにより、コンタクトガラス板２０が露出する。原稿は、このコンタクトガラス板２０上に載置され、その状態で原稿カバー１５が閉じられる。これにより、当該原稿は、原稿カバー１５とコンタクトガラス板２０との間に挟み込まれて固定される。そして、画像読取ユニット１８がコンタクトガラス板２０の下方を当該コンタクトガラス板２０に沿って（図７において紙面に垂直な方向に沿って）移動することにより、上記原稿から画像が読み取られるようになっている。
【００３４】
図７が示すように、画像読取ユニット１８は、ＣＩＳユニット２１と、ガイドシャフト２２と、ローラユニット２３と、図示されていないベルト駆動機構とを備えている。ＣＩＳユニット２１は、いわゆる密着型のイメージセンサであって、コンタクトガラス板２０の裏面２６と対向するように配置されている。ＣＩＳユニット２１は、細長直方体状の筐体４３を備えており、この筐体４３がキャリッジ２４に嵌め込まれている。ＣＩＳユニット２１は、コンタクトガラス板２０の裏面２６側から原稿に光を照射すると共に当該原稿からの反射光を受光し、受光した光を電気信号に変換する。
【００３５】
ガイドシャフト２２は、同図の紙面に垂直な方向に架設されている。このガイドシャフト２２は、上記キャリッジ２４の下端部２５を貫通している。すなわち、ＣＩＳユニット２１は、このガイドシャフト２２に支持されており、当該ガイドシャフト２２に案内されながらコンタクトガラス板２０に沿ってスライドすることが可能である。上記ベルト駆動機構は、例えばモータにより駆動される無端環状ベルト（典型的にはタイミングベルト）を備えている。この無端環状ベルトの一部が上記キャリッジ２４の下端部２５に連結されている。したがって、ベルト駆動機構が作動すると、キャリッジ２４が無端環状ベルトと共に移動する。その結果、ＣＩＳユニット２１は、ガイドシャフト２２上を摺動し、コンタクトガラス板２０の下方を移動することになる。
【００３６】
上記ローラユニット２３は、ＣＩＳユニット２１の両端部に設けられている。このローラーユニット２３は、コンタクトガラス板２０の裏面２６に当接している。そして、キャリッジ２４の移動に伴って、ローラユニット２３は、コンタクトガラス板２０の裏面２６をキャリッジ２４の移動方向に沿って転動する。すなわち、このローラーユニット２３は、ＣＩＳユニット２１の円滑な移動を支援するものである。
【００３７】
本実施形態では、画像読取ユニット１８は、ＣＩＳ（Contact Image Sensor）により画像を読取走査する。ただし、画像読取ユニット１８は、ＣＩＳに代えてＣＣＤ（Charge Coupled Device）のような縮小光学系のイメージセンサを採用することができる。また、本実施形態では、無端環状ベルトによりＣＩＳユニット２１が駆動されるが、無端環状ベルトに代えてベルトの両端部がキャリッジ２４に固定された有端ベルトが採用されてもよい。
【００３８】
図１が示すように、原稿カバー１５は、ＡＤＦ１４を備えている。このＡＤＦ１４は、原稿トレイ４６から排紙トレイ４７へ原稿を連続搬送する。原稿を連続搬送するための機構は原稿カバー１５に内蔵されている。なお、ＡＤＦは既知の構造を有するものであるから、その詳しい説明は省略される。ただし、本実施形態において、このＡＤＦは省略されていてもよい。
【００３９】
原稿カバー１５は、前述のように、原稿載置部１３の背面４８側に設けられた蝶番を介してスキャナ部１２と連結されており、矢印１６に沿って右方向又は左方向に回動する。したがって、原稿カバー１５は、原稿載置部１３の天面１９（図７参照）を覆う閉じ姿勢と、上記天面１９を露出させる開き姿勢との間で姿勢変化することができる。一般にユーザーは、後述される操作パネル４５を用いて、コピー枚数や解像度等の印刷モードを手動設定し、原稿カバー１５を開いて原稿をコンタクトガラス板２０上に載置する。そして、ユーザーは、当該原稿カバー１５を閉じることによって当該原稿をコンタクトガラス板２０上に固定すると共に後述される操作キー５７を操作して画像記録の開始を指示する。画像記録が終了すると、ユーザーは、再び原稿カバー１５を開き姿勢から閉じ姿勢へと姿勢変化させ、原稿を取り出す。
【００４０】
(3) プリンタ部(記録部)
【００４１】
図８は、プリンタ部１１の内部構成（図４において点線で示された部分）を模式的に示す図である。図８において紙面に垂直な方向が多機能装置１０の幅方向であって、図４において紙面に垂直な方向と一致している。
【００４２】
図４及び図８が示すように、プリンタ部１１は、上記原稿載置部１３によって構成されるフレームと、インクジェット記録ヘッド２７を有する画像記録部２８とを備えている。すなわち、本実施形態では、プリンタ部１１は、インクジェット記録装置として構成されている。なお、本実施形態では、プリンタ部１１がインクジェット記録装置として構成されているが、これに限定されるものではない。例えば、プリンタ部１１は、レーザ光を用いて感光体上に形成された潜像にトナーを付着させる画像形成装置（いわゆるレーザープリンタ）として構成されていてもよいし、感熱用紙を熱処理して変色させることによって印字する画像形成装置（いわゆるサーマルプリンタ）として構成されていてもよい。
【００４３】
図８が示すように、プリンタ部１１は、インクタンク３３を備えている。このインクタンク３３は、例えば、ブラックインク、イエローインク、マゼンタインク及びシアンインクをそれぞれ独立して貯留しており、各色のインクがインクジェット記録ヘッド２７へ供給されるようになっている。
【００４４】
図１及び図２が示すように、プリンタ部１１のフレームを構成する原稿載置部１３は、正面に開口４２（排出口）が設けられており、この開口４２の内部に給紙トレイ２９が配置されている。図８が示すように、給紙トレイ２９から送り出された記録用紙は、後述の要領で画像が記録された後、上記開口４２に設けられた排紙トレイ３２に排出される。上記給紙トレイ２９の奥側（図中右側）に分離傾斜板３０が配設されている。この分離傾斜板３０は、給紙トレイ２９に積載された記録用紙を分離して上方へ案内する。この分離傾斜板３０から上方へ向かって用紙搬送路３１が形成されている。用紙搬送路３１は、上方へ延びた後に左方へ湾曲し、多機能装置１０の背面側から正面側へと延びている。さらに、この用紙搬送路３１は、画像記録部２８を通過して排紙トレイ３２へ通じている。したがって、給紙トレイ２９に収容された記録用紙は、用紙搬送路３１により下方から上方へＵターンするように案内されて画像記録部２８に至る。この画像記録部２８が用紙搬送路３１を搬送される記録用紙に画像記録を行った後、この記録用紙は、排紙トレイ３２に排出される。
【００４５】
給紙トレイ２９の上側に給紙ローラ３４が設けられている。給紙ローラ３４は、給紙トレイ２９に積載された記録用紙を１枚ずつ分離して用紙搬送路３１へ供給する。給紙ローラ３４の構造は既知であって、本実施形態では、この給紙ローラ３４は、給紙アーム３５の先端に軸支されている。この給紙アーム３５は、給紙トレイ２９に接離可能に上下動することができる。給紙ローラ３４は、図示されていない駆動伝達機構を介してモータと連結されている。この駆動伝達機構は、複数のギアが噛合されて構成され得る。そして、上記モータが作動することにより、その駆動力が給紙ローラ３４に伝達され、給紙ローラ３４が回転するようになっている。回転する給紙ローラ３４は、上記記録用紙を用紙搬送路３１へ送り出す。
【００４６】
給紙アーム３５は、基端軸３６に支持されており、当該基端軸３６の周りに回動可能となっている。これにより、給紙アーム３５は、基端軸３６を揺動中心として上下方向に揺動可能である。この給紙アーム３５は、給紙トレイ２９が装着された状態では、図示されていない給紙クラッチやバネ等により給紙トレイ２９側に付勢されており、給紙トレイ２９が取り外された状態で、上側へ跳ね上げられるようになっている。給紙アーム３５が下側へ回動することにより、その先端に軸支された給紙ローラ３４が給紙トレイ２９上の記録用紙の表面に圧接する。その状態で、給紙ローラ３４が回転すると、給紙ローラ３４のローラ面と記録用紙との間の摩擦力は、最上位置の記録用紙を上記分離傾斜板３０へ送り出す。この送り出された記録用紙は、その先端が分離傾斜板３０に当接して上方へ案内され、用紙搬送路３１へ送り込まれる。なお、給紙ローラ３４によって最上位置の記録用紙が送り出される際に、その直下の記録用紙が摩擦や静電気の作用によって共に送り出される場合がある。しかし、この記録用紙は分離傾斜板３０に当接することによって制止される。
【００４７】
用紙搬送路３１は、画像記録部２８等が配設されている箇所以外では、所定間隔で対向する外側ガイド面と内側ガイド面とにより区画形成されている。この多機能装置１０では、外側ガイド面は、原稿載置部１３により構成されるプリンタ部１１のフレームの内壁面により構成されており、内側ガイド面は、当該フレーム内に設けられたガイド部材の表面によって構成されている。また、特に用紙搬送路３１が曲がっている箇所には、搬送コロが設けられていてもよい。同図では搬送コロが図示されていないが、搬送コロは、用紙搬送路３１の幅方向（同図において紙面に垂直な方向）を回転中心軸方向として回転自在に設けられていてもよい。搬送コロは、そのローラ面が上記外側ガイド面又は内側ガイド面に露出するように取り付けられる。この搬送コロが設けられることにより、記録用紙は、用紙搬送路３１が曲がっている箇所においてもガイド面に接触して円滑に搬送される。
【００４８】
上記画像記録部２８は、用紙搬送路３１が下方から上方へＵターンした後の下流側に設けられている。上記インクジェット記録ヘッド２７と対向してプラテン３７が設けられている。搬送される記録用紙は、このプラテン３７上に送られる。インクジェット記録ヘッド２７は、プラテン３７上に配置された記録用紙にインク滴を吐出する。このインクジェット記録ヘッド２７は、図示されていないキャリッジに搭載されている。このキャリッジは、ＣＲモータによって同図において紙面に垂直な方向にスライドされる。インクジェット記録ヘッド２７の位置及びスライド動作は、図示されていないキャリッジ用エンコーダにより監視されている。インクジェット記録ヘッド２７は、スライドされつつ上記各色のインクをインク滴として上記記録用紙上に吐出し、これにより、当該記録用紙に画像が記録される。
【００４９】
上記インクジェット記録ヘッド２７の用紙搬送路３１の上流側に駆動ローラ３８及び押さえローラ３９が設けられている。駆動ローラ３８は、図示されていないＬＦモータにより回転駆動されるようになっている。これら駆動ローラ３８及び押さえローラ３９は、用紙搬送路３１を搬送される記録用紙を狭持し、駆動ローラ３８が回転されることにより、記録用紙は用紙搬送路３１の下流側へ送られ、プラテン３７上に配置される。この記録用紙の搬送は、図示されていない用紙搬送用エンコーダにより監視されている。具体的には、用紙搬送用エンコーダは、駆動ローラ３８の回転軸に設けられたエンコーダディスク及び回転するエンコーダディスクからパルスを読み取るフォトセンサからなる。したがって、上記駆動ローラ３８の回転数が用紙搬送用エンコーダによって検出されることにより、上記記録用紙の搬送距離が求められるようになっている。
【００５０】
上記インクジェット記録ヘッド２７の用紙搬送路３１の下流側に排紙ローラ４０及び押さえローラ４１が設けられている。排紙ローラ４０は、上記駆動ローラ３８を駆動するＬＦモータにより回転駆動されるようになっている。すなわち、排紙ローラ４０は、図示されていない連動機構を介して駆動ローラ３８と同期駆動されるようになっている。これら排紙ローラ４０及び押さえローラ４１は、インク滴が吐出された記録用紙を狭持し、排紙ローラ４０が回転されることにより、上記記録用紙は用紙搬送路３１の下流側へ送られる。この場合の記録用紙の搬送についても、上記用紙搬送用エンコーダが監視している。したがって、この用紙搬送用エンコーダが上記排紙ローラ４０の回転数を上記駆動ローラ３８を介して検出することにより、上記記録用紙の搬送距離が求められる。
【００５１】
上記押さえローラ３９は、上記駆動ローラ３８を所定の押圧力で押圧するように駆動ローラ３８に対して弾性付勢されている。したがって、駆動ローラ３８と押さえローラ３９との間に記録用紙が進入した場合には、押さえローラ３９は、記録用紙の厚み分だけ弾性的に退避しつつ駆動ローラ３８と協働して記録用紙を狭持する。このように記録用紙が駆動ローラ３８と押さえローラ３９とによってニップされるので、駆動ローラ３８の回転力は、確実に記録用紙へ伝達される。また、上記押さえローラ４１も上記排紙ローラ４０に対して同様に設けられている。ただし、本実施形態では、押さえローラ４１は、記録済みの記録用紙に圧接されるので、記録用紙に記録された画像を劣化させないようにローラ面が拍車状に形成されている。
【００５２】
駆動ローラ３８及び押さえローラ３９に狭持された記録用紙は、所定の改行幅でプラテン３７上を間欠的に搬送される。インクジェット記録ヘッド２７は、記録用紙の改行ごとにスライドされ、記録用紙の先端側から画像記録を行う。画像記録が行われた記録用紙は、その先端側から排紙ローラ４０及び押さえローラ４１に狭持される。すなわち、記録用紙は、その先端側を排紙ローラ４０及び押さえローラ４１に、その後端側を駆動ローラ３８及び押さえローラ３９に狭持された状態で所定の改行幅で間欠して搬送され、このように搬送されつつインクジェット記録ヘッド２７によって画像の記録が行われる。記録用紙の所定領域に画像が記録された後は、排紙ローラ４０が連続的に回転駆動され、排紙ローラ４０及び押さえローラ４１により狭持された記録用紙は、排紙トレイ３２へ排出される。
【００５３】
(4) 操作パネル
【００５４】
図１ないし図３が示すように、プリンタ部１１のフレームを構成する原稿載置部１３の上傾斜面に操作パネル４５が取り付けられている。この操作パネル４５は、プリンタ部１１やスキャナ部１２の操作等をするための装置であって、その上面４４（操作面）に後述される各種操作ボタン及び液晶表示部等が設けられている。また、原稿載置部１３の下部に、プリンタ部１１及びスキャナ部１２の作動並びに多機能装置１０全体の動作を制御する制御装置が備えられている。
【００５５】
図４が示すように、この操作パネル４５の下方（原稿載置部１３の内部）に制御基板５４が配設されている。操作パネル４５上に配置された各種操作ボタンは、図示されていないフラットケーブルを介して制御基板５４と接続されている。この制御基板５４は、上記制御装置に接続されており、この制御装置は、上記各種操作ボタンからの指令を処理し、当該多機能装置１０の作動を制御する。
【００５６】
図１が示すように、操作パネル４５は、各種操作キー５６〜５８と液晶表示部５９とを具備する。多機能装置１０のユーザーは、操作パネル４５を用いて所望の指令を入力する。多機能装置１０は、所定の入力を受けて所定の動作を行う。前述のように、この多機能装置１０にパーソナルコンピュータ等が接続され得る。その場合、多機能装置１０は、操作パネル４５からの指示のほか、このパーソナルコンピュータからスキャナドライバやプリンタドライバ等を介して送信される指示によっても動作することが可能である。
【００５７】
図１及び図３に示すように、液晶表示部５９は、平面視が横長矩形であり、その縦寸法が操作パネル４５の奥行き寸法より若干小さいものである。すなわち、液晶表示部５９は、操作パネル４５に配置可能な大きさに大型化されている。このような大型の液晶表示部５９が採用されることにより、液晶表示部５９に表示された文字や画像等の視認性が向上する。また、液晶表示部５９は、操作パネル４５の幅方向の中央に配置されている。液晶表示部５９の幅寸法は、操作パネル４５の幅寸法に比べて十分に小さい。そのため、液晶表示部５９が操作パネル４５の中央に配置され、この液晶表示部５９の左右両側に操作キー５６〜５８が配置されている。
【００５８】
操作キー５６〜５８は、液晶表示部５９の周囲に設けられた操作キー５６、操作パネル４５の向かって右端側に設けられた操作キー５７、操作パネル４５の向かって左端側に設けられた操作キー５８の３つに大別される。
【００５９】
操作キー５６は、液晶表示部５９の周囲であって、左右の両側方に液晶表示部５９の側縁に沿って各々一列に配置されている。このように、液晶表示部５９の左右両側に操作キー５６が配置されることにより、液晶表示部５９の側方のスペースが有効利用される。操作キー５６は、ファクシミリモード、コピーモード、スキャンモード等の各モードを切り替えるためのモードキーであり、さらに各モードにおける各種設定を行うための設定キーも兼ねている。つまり、複数の入力が操作キー５６に割り当てられており、ユーザーが各操作キー５６を押すことによって入力される内容は、液晶表示部５９に表示されるようになっている。
【００６０】
操作キー５７は、多機能装置１０の電源をオン／オフするための電源キー、上記制御装置に登録された電話帳や短縮ダイヤルの検索、通話音量や警告音、入力確認音の音量の変更、各種設定を確定するためのナビゲーションキー、画像記録や画像読取りの開始を入力するためのスタートキー、各種処理の中断を入力するためのストップキー等を備えている。また、操作キー５８は、電話番号の入力やコピー枚数の入力等のためのダイヤルキー等を備えている。なお、操作キー５７、５８の種類は一例であり、他の機能が割り当てられていてもよいことは勿論である。
【００６１】
液晶表示部５９は、その表面と操作パネル４５の表面とが同一面上に配置されるように取り付けられている。このため、液晶表示部５９が操作パネル４５の上面から突出することがなく、操作パネル４５の外観が向上される。また、多機能装置１０の上側からの液晶表示部５９の表示の視認性が向上される。
【００６２】
(5) スロット部
【００６３】
図１及び図２が示すように、多機能装置１０の正面に上記スロット部６１が配設されている。スロット部６１は、各種小型メモリーカード等の記憶媒体を装着することができる。小型メモリーカードは画像データを記憶しており、スロット部６１に装填された小型メモリカードから当該画像データが読み出され、その画像データに関する情報が液晶表示部５９に表示される。そして、液晶表示部５９に表示された任意の画像がプリンタ部１１により記録用紙に記録される。このための入力は、上記操作パネル４５から行われる。
【００６４】
図１、図５及び図６が示すように、スロット部６１は、多機能装置１０の正面に取り付けられたパネル６２と、このパネル６２に設けられ、且つ原稿載置部１３の内部に配置された記憶媒体収容部６３、６４と、ＵＳＢ（Universal Serial Bus）コネクタ６５とを備えている。
【００６５】
パネル６２は、細長の帯状に形成されており、上記操作パネル４５の前方下側に配置されている。このパネル６２の表面６９がスロット部６１の表面を構成している。パネル６２の表面６９は、図５及び図６が示すように、外側に、すなわち多機能装置１０の正面側に膨出する膨出面として構成されている。本実施形態では、パネル６２の表面６９は、滑らかに膨らんだ曲面に形成されている。ただし、パネル６２の表面６９の形状は、前側に突出する傾斜平面として形成されていてもよい。パネル６２の表面６９が膨出面に形成されていることによる作用効果については、後述される。
【００６６】
ＵＳＢコネクタ６５は、ＵＳＢケーブルが接続されるようになっている。ＵＳＢコネクタ６５はケーブル挿入口６８を備えており、このケーブル挿入口６８にＵＳＢケーブルの端子が嵌め込まれるようになっている。各記憶媒体収容部６３、６４は、それぞれ、スロット６６、６７（開口）を備えており、各スロット６６、６７から小型メモリーカードが挿入されるようになっている。上記ＵＳＢコネクタ６５及び記憶媒体収容部６３、６４は、それぞれ、内奥部に端子が設けられており、ＵＳＢコネクタ６５の端子に上記ＵＳＢケーブルの端子が接合され、記憶媒体収容部６３、６４の端子に上記小型メモリーカードの端子が接合されるようになっている。
【００６７】
また、パネル６２の中央部には、パネル６２の長手方向、すなわち多機能装置１０の左右方向に延びる溝７０が形成されている。上記スロット６６及びスロット６７は、この溝７０の内周面７１（案内面）に連続して形成されている。さらに、図６が示すように、この溝７０の内周面７１は、上記スロット６６、６７の周縁に連続して漏斗状に拡がっている。より詳細には、上記内周面７１は、溝７０の周縁とスロット６６、６７の周縁とを連続する湾曲面に形成されており、この湾曲面は、スロット６６、６７の内奥方向へ凹むように形成されている。したがって、スロット６６、６７は、上記溝７０の内底部に当該溝７０を臨むように配置されており、各種小型メモリーカードは、各スロット６６〜６８に対して正面から着脱されるようになっている。上記内周面７１が漏斗状に形成されることによる作用効果については、後述される。
【００６８】
本実施形態では、スロット６６、６７の周縁に上記溝７０の内周面７１が連続しているが、この溝７０が省略され、スロット６６、６７がパネル６２の表面に露出していてもよい。また、スロット６６、６７の周縁部の形状が前述の漏斗状に形成されていてもよい。すなわち、スロット６６、６７の周縁部が上記溝７０を兼ねていてもよい。さらに、上記溝７０の内周面７１が湾曲面ではなく平面に形成されていてもよい。なお、周縁上記各スロット６６〜６８を閉塞するカバーが上記パネル６２に着脱可能に設けられていてもよい。
【００６９】
本実施形態では、記憶媒体収容部６３、６４にそれぞれ規格が異なる小型メモリーカード等が装着される。具体的には、スロット６６、６７に、それぞれ、ＳＤメモリカード、ｘＤ−ピクチャーカードやコンパクトフラッシュ（登録商標）、スマートメディア（登録商標）、メモリスティック（登録商標）等が挿入され、これら各小型メモリーカードと多機能装置１０との間で前述のようにデータの送受信がなされる。小型メモリカードには、例えばデジタルカメラで撮影された静止画像データやデジタルビデオカメラで撮影された動画像データが記録されており、各小型メモリカードが規格に応じてスロット６６、６７のいずれかに装着される。これにより、各小型メモリーカードに記憶された各画像データは、上記各端子を介して上記制御装置に読み込まれる。この制御装置は、上記プリンタ部１１の作動を制御し、上記画像データに基づいて記録用紙に画像として記録する。
【００７０】
本実施形態では、２つの記憶媒体収容部６３、６４が設けられている。そして、記憶媒体収容部６７は、３種類の小型メモリーカードが適合するようになっている。したがって、この多機能装置１０では、４種類の小型メモリーカードが装着され得るようになっている。ただし、記憶媒体収容部の数は、特に限定されるものではないし、一の記憶媒体収容部にさらに多種類の小型メモリーカードが適合するように設計されていてもよい。
【００７１】
上記パネル６２には、各スロット６６、６７に対応して、当該スロット６６、６７に挿入されるべき小型メモリーカードの種類を表すマーク７２、７３（標章）が付されている。各マーク７２、７３は、パネル６２の表面６９に付されており、各スロット６６、６７の上方に対応する部分に配置されている。各マーク７２〜７４の構成は、特に限定されるものではないが、多機能装置１０のユーザーが各スロット６６、６７に挿入しようとする小型メモリーカードの種類や規格を瞬時に判断できるものであることが望ましい。具体的には、本実施形態では、標章７３として、スロット６６の上方に対応する部分に「ＳＤ」、「Ｍ」及び「ｘＤ」の文字が付されている。「ＳＤ」はＳＤメモリーカード、「Ｍ」はメモリースティック（登録商標）、「ｘＤ」はｘＤ−ピクチャーカードを意味し、これら各小型メモリーカードがスロット６６に装着され得ることが示されている。また、標章７２として、スロット６７の上方に対応する部分に「ＣＦ」の文字が付されている。この文字は、コンパクトフラッシュ（登録商標）を意味し、これがスロット６７に装着され得ることが示されている。さらに、上記パネル６２には、ＵＳＢコネクタ６５のケーブル挿入口６８の上方に対応する位置にもマーク７４が付されている。このマーク７４は、典型的にはＵＳＢ端子を表す絵文字として構成される。このように、マーク７２〜７４が付されていることによる作用効果については、後述される。
【００７２】
(6) 本実施形態に係る多機能装置の使用要領
【００７３】
この多機能装置１０では、スロット部６１に小型メモリーカードが装着され、これに記憶された画像データに基づいて画像が記録される。多機能装置１０のユーザーは、所望の小型メモリーカードを把持し、これを適合するスロット６６又はスロット６７に装着する。通常、多機能装置１０はデスク上に載置され、ユーザーは、この多機能装置１０の正面に立ってあるいは座って操作する場合が多い。したがって、ユーザーは、通常、多機能装置１０を見下ろしながら操作することになり、そのため、ユーザーは、上記スロット６６、６７の位置及び各スロット６６、６７に適合する小型メモリーカードの種類を確認することが容易でないこともある。
【００７４】
しかし、この多機能装置１０では、上記パネル６２の表面６９に各スロット６６、６７の位置に対応する部位に上記マーク７２、７３が付されているから、ユーザーは、各スロット６６、６７の位置を正確に把握することができる。しかも、このマーク７２、７３は、上記パネル６２の表面６９のうち、上記各スロット６６、６７の上方に配置されているから、ユーザーが多機能装置１０の正面に立ってあるいは座って操作する場合にも、ユーザーは、上記マーク７２、７３を容易に目視することができる。すなわち、ユーザーは、各スロット６６、６７の位置を迅速に把握することができる。さらに、上記マーク７２、７３は、スロット６６、６７に挿入されるべき小型メモリーカードの種類や規格を瞬時に判断できる文字からなるので、ユーザーにとって、当該小型メモリーカードを挿入すべきスロット６６、６７が一目瞭然である。同様に、ＵＳＢコネクタ６５のケーブル挿入口６８の上方にも上記マーク７４が付されているので、ユーザーにとって、ＵＳＢケーブルを挿入すべき部位が一目瞭然である。
【００７５】
また、本実施形態に係る多機能装置１０では、上記パネル６２の表面６９が正面側に膨らんだ曲面に形成されているので、ユーザーが手探りで小型メモリーカードをスロット６６、６７に挿入する場合において、この小型メモリーカードをパネル６２の表面６９に沿って摺動させるだけでスロット６６、６７の位置を簡単に探ることができる。
【００７６】
さらに、上記パネル６２に形成された溝７０の内周面７１が前述のような漏斗状に形成されていることから、ユーザーが手探りで小型メモリーカードをスロット６６、６７に挿入しようとした場合において、この小型メモリーカードを上記内周面７１に沿わせるだけで、当該小型メモリーカードがスロット６６、６７に案内される。したがって、ユーザーは、小型メモリーカードをスロット６６、６７にきわめて簡単に挿入することができる。特に、上記内周面７１は、スロット６６、６７の内奥側に向かって凹むように湾曲されているから、上記小型メモリーカードは、より滑らかに且つ確実にスロット６６、６７に導かれるという利点がある。
【００７７】
特に、本実施形態では、スロット部６１が操作パネル４５と原稿載置部１３の開口４２との間に設けられ、各記憶媒体収容部６３、６４が原稿載置部１３の内奥側に水平に配置されている。そして、上記小型メモリーカードは、シート状ないし薄肉板状に形成されていることが多い。したがって、この多機能装置１０では、小型メモリーカードは、操作パネル４５と上記開口４２との間に正面側から水平に原稿載置部１３の内奥側へ挿入されることになる。その結果、多機能装置１０の厚み寸法が小さく抑えられ、多機能装置１０がコンパクトな薄型に設計され得る。
【００７８】
(7) 実施形態の変形例
【００７９】
図９は、本実施形態の第１の変形例に係るスロット部の拡大断面図である。
【００８０】
同図が示すように、本変形例に係るスロット部７５の構成が上記実施形態に係るスロット部６１と異なるところは、上記実施形態では、各記憶媒体収容部６３、６４のスロット６６、６７に連続するように溝７０が形成されていたのに対し（図６参照）、本変形例では、このような溝が形成されていない点、及び各記憶媒体収容部６３、６４のスロット６６、６７の上縁部７６よりも下縁部７７の方が正面側に突出している点である。なお、その他の構成については、上記実施形態と同様である。
【００８１】
このように、各スロット６６、６７の下縁部７７が上縁部７６よりも突出することにより、当該下縁部７７は、小型メモリーカードがスロット６６、６７に挿入される際に載置される載置面を構成する。これにより、ユーザーは、把持した小型メモリーカードを一旦上記下縁部７７に載置したうえで各スロット６６、６７に挿入することができる。したがって、ユーザーにとって小型メモリーカードを各スロット６６、６７に挿入する作業がより簡単になるという利点がある。なお、上記下縁部７７によって小型メモリーカードの載置面が形成されるから、各スロット６６、６７に挿入された小型メモリーカードは、当該載置面によって安定的に支持されるという利点もある。
【００８２】
図１０は、本実施形態の第２の変形例に係るスロット部の拡大断面図である。
【００８３】
本変形例に係るスロット部７８の構成が上記第１の変形例に係るスロット部７５と異なるところは、各記憶媒体収容部６３、６４のスロット６６、６７に連続するように溝７９が形成されている点、及びこの溝７９の上縁部８０よりも下縁部８１の方が正面側に突出している点である。なお、その他の構成については、上記第１の変形例と同様である。
【００８４】
このように、上記溝７９の下縁部８１が上縁部８０よりも突出することにより、当該下縁部８１は、小型メモリーカードがスロット６６、６７に挿入される際に載置される載置面を構成する。これにより、ユーザーは、把持した小型メモリーカードを一旦上記下縁部８１に載置したうえで各スロット６６、６７に挿入することができる。しかも、小型メモリーカードは、溝７９の内周面８２に案内されながら、円滑に各スロット６６、６７み導かれる。したがって、ユーザーにとって小型メモリーカードを各スロット６６、６７に挿入する作業がより一層簡単になるという利点がある。
【００８５】
以上のように、上記実施形態及びその各変形例に係る多機能装置１０によれば、ユーザーは、各スロット６６、６７の位置及び各スロット６６、６７に挿入されるべき小型メモリーカードの種類を容易に確認することができるので、小型メモリーカードの挿抜操作がきわめて簡単であり、この多機能装置１０の使い勝手が向上する。
【産業上の利用可能性】
【００８６】
本発明は、記憶媒体に対してデータを読み書き可能なカードリーダ／ライタや多機能装置に適用され得る。
【図面の簡単な説明】
【００８７】
【図１】図１は、本発明の一実施形態に係る多機能装置の外観斜視図である。
【図２】図２は、本発明の一実施形態に係る多機能装置の正面図である。
【図３】図３は、本発明の一実施形態に係る多機能装置の平面図である。
【図４】図４は、本発明の一実施形態に係る多機能装置の右側面図である。
【図５】図５は、本発明の一実施形態に係る多機能装置のスロット部の拡大斜視図である。
【図６】図６は、本発明の一実施形態に係る多機能装置のスロット部の拡大断面図である。
【図７】図７は、本発明の一実施形態に係る多機能装置のスキャナ部の内部構成を模式的に示す図である。
【図８】図８は、本発明の一実施形態に係る多機能装置のプリンタ部の内部構成を模式的に示す図である。
【図９】図９は、本発明の一実施形態の第１の変形例に係る多機能装置のスロット部の拡大断面図である。
【図１０】図１０は、本発明の一本実施形態の第２の変形例に係るスロット部の拡大断面図である。
【符号の説明】
【００８８】
１０・・・多機能装置
１１・・・プリンタ部
１３・・・原稿載置部
４４・・・上傾斜面
４５・・・操作パネル
６１・・・スロット部
６２・・・パネル
６３・・・記憶媒体収容部
６４・・・記憶媒体収容部
６５・・・記憶媒体収容部
６６・・・スロット
６７・・・スロット
６８・・・スロット
６９・・・パネルの表面
７０・・・溝
７１・・・溝の内周面
７２・・・マーク
７３・・・マーク
７４・・・マーク
７５・・・スロット部
７６・・・上縁部
７７・・・下縁部
【図１】
2007072920.tif 000003
【図２】
2007072920.tif 000004
【図３】
2007072920.tif 000005
【図４】
2007072920.tif 000006
【図５】
2007072920.tif 000007
【図６】
2007072920.tif 000008
【図７】
2007072920.tif 000009
【図８】
2007072920.tif 000010
【図９】
2007072920.tif 000011
【図１０】
2007072920.tif 000012